(57)【要約】      （修正有）【課題】仕事の効率を上げる冷却が速い鋼管スプレー機を提供する。【解決手段】上ラック１、下ラック７、ペイント缶１５、コンプレッサー１６と隔膜ポンプ２０を含む。上ラック１と下ラック７の間に支柱６があり、上ラック１内に第一スクリュー４や方向レバー１９がある。第一スクリュー４とガイドレバー１９の上に、第一移動ブロック２が設置される。第一移動ブロック２の底部の末端に、フォギングノズル３が設置される。第一移動ブロック２の前端に、ペンキカテーテル１８が設置される。ペンキカテーテル１８の一端はフォギングノズル３と接続し、ペンキカテーテル１８の他端は隔膜ポンプ２０と接続する。隔膜ポンプ２０は、ペイント缶１５とコンプレッサー１６がそれぞれに接続する。【選択図】図１
0003200559.tif 000002
【実用新案登録請求の範囲】
【請求項１】
スプレー機において、上ラック（１）、下ラック（７）、ペイント缶（１５）、コンプレッサー（１６）と隔膜ポンプ（２０）を含み、上ラック（１）と下ラック（７）の間に支柱（６）があり、上ラック（１）内に第一スクリュー（４）や方向レバー（１９）があり、第一スクリュー（４）とガイドレバー（１９）の上に、第一移動ブロック（２）が設置され、第一移動ブロック（２）の底部の末端に、フォギングノズル（３）が設置され、第一移動ブロック（２）の前端に、ペンキカテーテル（１８）が設置され、ペンキカテーテル（１８）の一端はフォギングノズル（３）と接続され、ペンキカテーテル（１８）の他端は隔膜ポンプ（２０）と接続され、隔膜ポンプ（２０）には、ペイント缶（１５）とコンプレッサー（１６）がそれぞれに接続され、右側の支柱（６）の上部に、第一駆動モータ（５）が設置され、第一駆動モータ（５）と第一スクリュー（４）が接続され、下ラック（７）の中間位置にキャビティ（２１）が設置され、キャビティ（２１）内には第二スクリュー（２５）が設置され、第二スクリュー（２５）は、左スクリュー（１１）と右スクリュー（１０）を有し、左スクリュー（１１）の左側には、下ラック（７）の内部に組み込まれた第二駆動モータ（１３）があり、第二駆動モータ（１３）と接続され、左スクリュー（１１）と右スクリュー（１０）には、第二移動ブロック（８）が設置され、第二移動ブロック（８）の上部には席腕木（１２）が設置され、席腕木（１２）内には第三駆動モータ（１４）が設置され、第三駆動モータ（１４）の内側にクランプ（２２）が設置され、クランプ（２２）には鋼管（９）が設置され、第一駆動モータ（５）、第二駆動モータ（１３）と第三駆動モータ（１４）の表面は、実行する時に温度を下げるための放熱フィン（２３）によって覆われ、放熱フィンの上に加速放熱の放熱扇風機（２４）が設置されることを特徴とするスプレー機。
【請求項２】
請求項１に記載のスプレー機において、ペイント缶（１５）の底を支えるラック（１７）が設置され、コンプレッサー（１６）と隔膜ポンプ（２０）がラック（１７）の内部に組み込まれることを特徴とするスプレー機。
【請求項３】
請求項１に記載のスプレー機において、ペンキカテーテル（１８）が引込のゴムカテーテルであることを特徴とするスプレー機。
【請求項４】
請求項１に記載のスプレー機において、左スクリュー（１１）と右スクリュー（１０）が逆回転するように設置されることを特徴とするスプレー機。
【請求項５】
請求項１に記載のスプレー機において、第一スクリュー（４）と方向レバー（１９）が平行に設置されることを特徴とするスプレー機。
【考案の詳細な説明】
【技術分野】
【０００１】
本実用新案は、スプレー設備にかかわり、特に、1種の冷却が速い鋼管スプレー機である。
【背景技術】
【０００２】
現在、鋼管の表面スプレーは、一般的に人工を通じて、手動で完成する。使う時、鋼管（丸管やボックスを含む）が多面なので、人工的にスプレーガンを持って、一面の一面で繰り返し、仕事の効率も低い。だから、このスプレー方式が大量の人力資源を必要で、そして仕事の効率も低い。
【考案の概要】
【考案が解決しようとする課題】
【０００３】
本実用新案が解決の技術問題は、1種の人工的にスプレーを足りない、仕事の効率を上げる冷却が速い鋼管スプレー機を提供する。
【課題を解決するための手段】
【０００４】
本実用新案は、以下の技術方案によって実現する。この1種の冷却が速い鋼管スプレー機は、上ラック、下ラック、ペイント缶、コンプレッサーと隔膜ポンプを含みる。上ラックと下ラック間に支える柱があり、上ラックの内に第一スクリューや方向レバーがある。第一スクリューとガイドレバーの上に、第一移動ブロックを設置される。第一移動ブロックの底部の末端に、フォギングノズルを設置される。第一移動ブロックの前端に、ペンキカテーテルを設置される。ペンキカテーテルの端はフォギングノズルと接続し、ペンキカテーテルの他の端は隔膜ポンプと接続する。隔膜ポンプは、ペイント缶とコンプレッサーがそれぞれに接続する。右側の支える柱の上部に、第一駆動モータを設置され、第一駆動モータと第一スクリューが回転に接続する。下ラックの中間位置にキャビティを設置され、キャビティの内に第二スクリューを設置される。第二スクリューは、左スクリューと右スクリューがある。左スクリューの左側に、下ラックの内部でインストールする第二駆動モータがあり、第二駆動モータと回転に接続する。左スクリューと右スクリューの上に、全部第二移動ブロックを設置される。第二移動ブロックの上部に席腕木を設置され、席腕木の内に第三駆動モータを設置される。第三駆動モータの内側にクランプを設置され、クランプの上に鋼管を設置される。第一駆動モータ、第二駆動モータと第三駆動モータの表面は、実行する時に温度を下げるための放熱フィンを覆われる。放熱フィンの上に加速放熱の放熱扇風機を設置される。
【０００５】
さらに技術方案で、ペイント缶の底に支えるラックを設置され、コンプレッサーと隔膜ポンプが支えるラックの内部にインストールされる。
【０００６】
さらに技術方案で、ペンキカテーテルが引込のゴムカテーテルである。
【０００７】
さらに技術方案で、左スクリューと右スクリューがネジ回転で逆に設置される。
【０００８】
さらに技術方案で、第一スクリューと方向レバーが平行に設置される。
【考案の効果】
【０００９】
本実用新案の有益効果は、この実施の構造が簡易で、操作も便利で、スプレーも均一である。だから、スプレー効率が高い、機械化程度が高い、労働者の労働強度を軽減した。
【図面の簡単な説明】
【００１０】
【図１】この新型の冷却速い鋼管スプレー機の構造の見取り図である。
【考案を実施するための形態】
【００１１】
図１を見て、この1種の冷却が速い鋼管スプレー機は、上ラック１、下ラック７、ペイント缶１５、コンプレッサー１６と隔膜ポンプ２０を含みる。上ラック１と下ラック７間に支える柱６があり、上ラック１の内に第一スクリュー４や方向レバー１９がある。第一スクリュー４とガイドレバー１９の上に、第一移動ブロック２を設置される。第一移動ブロック２の底部の末端に、フォギングノズル３を設置される。第一移動ブロック２の前端に、ペンキカテーテル１８を設置される。ペンキカテーテ１８ルの端はフォギングノズル３と接続し、ペンキカテーテル１８の他の端は隔膜ポンプ２０と接続する。隔膜ポンプ２０は、ペイント缶１５とコンプレッサー１６がそれぞれに接続する。右側の支える柱６の上部に、第一駆動モータ５を設置され、第一駆動モータ５と第一スクリュー４が回転に接続する。下ラック７の中間位置にキャビティ２１を設置され、キャビティ２１の内に第二スクリュー２５を設置される。第二スクリュー２５は、左スクリュー１１と右スクリュー１０がある。左スクリュー１１の左側に、下ラック７の内部でインストールする第二駆動モータ１３があり、第二駆動モータ１３と回転に接続する。左スクリュー１１と右スクリュー１０の上に、全部第二移動ブロック８を設置される。第二移動ブロック８の上部に席腕木１２を設置され、席腕木１２の内に第三駆動モータ１４を設置される。第三駆動モータ１４の内側にクランプ２２を設置され、クランプ２２の上に鋼管９を設置される。第一駆動モータ５、第二駆動モータ１３と第三駆動モータ１４の表面は、実行する時に温度を下げるための放熱フィン２３を覆われる。放熱フィンの上に加速放熱の放熱扇風機２４を設置される。
【００１２】
その中で、ペイント缶１５の底に支えるラック１７を設置され、コンプレッサー１６と隔膜ポンプ２０が支えるラック１７の内部にインストールされる。
【００１３】
その中で、ペンキカテーテル１８が引込のゴムカテーテルである。
【００１４】
その中で、左スクリュー１１と右スクリュー１０がネジ回転で逆に設置される。
【００１５】
その中で、第一スクリュー４と方向レバー１９が平行に設置される。
【００１６】
本実用新案の有益効果は、この実施の構造が簡易で、操作も便利で、スプレーも均一である。だから、スプレー効率が高い、機械化程度が高い、労働者の労働強度を軽減した。
【００１７】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１８】
１  上ラック
７  下ラック
１５  ペイント缶
１６  コンプレッサー
２０  隔膜ポンプ
【図１】
0003200559.tif 000003